(57)【要約】【課題】フレキシブル基板に導体が配置されてなる折り曲げ可能なアンテナにおいて、折り曲げ後の形状を安定的に保持し得る構成を提供する。【解決手段】アンテナ６０は、フレキシブル基板６０ａの少なくとも一部において折り曲げ部６６が形成されている。この折り曲げ部６６は、所定部分６３に続く折り曲げ対象部分６４を所定部分６３の向きとは異なる向きに折り曲げた構成をなしており、この所定部分６３には、折り曲げ対象部分６４の折り曲げ側に突出した突出片７０が設けられている。そして、所定部分６３に対して折り曲げられた折り曲げ対象部分６４が突出片７０と当接することで係止されるようになっている。【選択図】図６
2011188239.tif 000002
【特許請求の範囲】
【請求項１】
折り曲げ可能に構成されたフレキシブル基板を備えると共に、前記フレキシブル基板の少なくとも一部に導体が配置されてなるアンテナであって、
前記フレキシブル基板の少なくとも一部には、所定部分に続く折り曲げ対象部分を前記所定部分の向きとは異なる向きに折り曲げる折り曲げ部が形成され、
前記所定部分には、前記折り曲げ対象部分の折り曲げ側に突出した突出片が設けられており、
前記所定部分に対して折り曲げられた前記折り曲げ対象部分が前記突出片と当接することで係止されることを特徴とするアンテナ。
【請求項２】
前記突出片は、
前記所定部分から前記折り曲げ対象部分の折り曲げ側に延出する延出部と、
前記延出部の延出方向に対して横方向に屈曲する屈曲部と、
を備えており、
前記折り曲げ対象部分が少なくとも前記屈曲部と当接することで係止されることを特徴とする請求項１に記載のアンテナ。
【請求項３】
前記フレキシブル基板は、板状のベース材を備えると共に前記導体が前記ベース材に沿って保持されており、
前記突出片が、前記ベース材よりも剛性が高い高剛性部材からなることを特徴とする請求項１又は請求項２に記載のアンテナ。
【請求項４】
前記フレキシブル基板は、板状のベース材を備えると共に前記導体が前記ベース材に沿って保持されており、
前記突出片が、前記ベース材よりも剛性が高い高剛性部材からなり、
前記高剛性部材には、前記延出部の延出位置よりも前記折り曲げ部側に延びる補強部が設けられていることを特徴とする請求項２に記載のアンテナ。
【請求項５】
前記折り曲げ対象部分は、前記所定部分の配置の向きに対して傾斜した折り曲げ線に沿って折り曲げ可能とされており、
前記補強部の端部が前記折り曲げ線に沿って配置されていることを特徴とする請求項４に記載のアンテナ。
【請求項６】
前記高剛性部材は、前記ベース材と同材質であり且つ前記ベース材よりも厚く構成されていることを特徴とする請求項３から請求項５のいずれか一項に記載のアンテナ。
【請求項７】
前記突出片は、前記折り曲げ対象部分との当接位置に粘着媒体が付されていることを特徴とする請求項１から請求項６のいずれか一項に記載のアンテナ。
【請求項８】
前記折り曲げ対象部分には、当該折り曲げ対象部分の厚さ方向又は板面方向に突出する突起部が形成されており、
前記突出片の所定の当接面が、前記折り曲げ対象部分と当接する構成をなし、
前記突起部は、前記突出片における前記当接面とは異なる面を支持可能とされていることを特徴とする請求項１から請求項７のいずれか一項に記載のアンテナ。
【発明の詳細な説明】
【技術分野】
【０００１】
本発明は、アンテナに関するものである。
【背景技術】
【０００２】
現在、非接触通信技術を用いて非接触通信を行う携帯端末などが広く提供されている。この種の携帯端末は、一般的にアンテナとこのアンテナを通じて非接触通信媒体（例えばＩＣカード等）と通信する通信回路とを備えており、アンテナを介して電波を送受信することにより非接触通信媒体の読み取りや書き込みを行っている。
【０００３】
ところで、現在の通信機器では、機器の小型化の進行に伴い、アンテナを設置する上でのスペース的な制約が大きくなってきている。例えば、上述の携帯端末では、アンテナとしてループアンテナなどが好適に用いられているが、端末の小型化に伴い、ループアンテナを装置内の限られたスペースに適切に配置することが求められている。
【０００４】
このように機器内でのスペース的な制約が大きい場合、対処方法としては、アンテナを折り曲げて配置することが望ましい。例えば上記ループアンテナを用いる場合、配置場所に合わせて所定箇所を折り曲げて配置できるようにすると、アンテナを配置する上での自由度が増し、設計上も有利である。なお、ループアンテナの折り曲げに関する技術としては特許文献１のようなものが提供されている。
【先行技術文献】
【特許文献】
【０００５】
【特許文献１】実開平５−２４２５号公報
【発明の概要】
【発明が解決しようとする課題】
【０００６】
このようにループアンテナを折り曲げて使用する場合、或いは上記ループアンテナに限らず導体を折り曲げてアンテナとして用いる場合、導体を保持するベースとして、折り曲げが容易なフレキシブル基板を用いることが望ましい。しかしながら、このようなフレキシブル基板の場合、折り曲げが容易である反面、折り曲げた後の形状を所望の形状に保ちにくいという問題がある。このような形状変化が生じるとアンテナの特性が変化してしまうため、何らかの対策が求められる。
【０００７】
本発明は、上述した課題を解決するためになされたものであり、フレキシブル基板に導体が配置されてなる折り曲げ可能なアンテナにおいて、折り曲げ後の形状を安定的に保持し得る構成を提供することを目的とする。
【課題を解決するための手段】
【０００８】
請求項１の発明は、折り曲げ可能に構成されたフレキシブル基板を備えると共に、前記フレキシブル基板の少なくとも一部に導体が配置されてなるアンテナであって、前記フレキシブル基板の少なくとも一部には、所定部分に続く折り曲げ対象部分を前記所定部分の向きとは異なる向きに折り曲げる折り曲げ部が形成され、前記所定部分には、前記折り曲げ対象部分の折り曲げ側に突出した突出片が設けられており、前記所定部分に対して折り曲げられた前記折り曲げ対象部分が前記突出片と当接することで係止されることを特徴としている。
【０００９】
請求項２の発明は、請求項１に記載のアンテナにおいて、前記突出片は、前記所定部分から前記折り曲げ対象部分の折り曲げ側に延出する延出部と、前記延出部の延出方向に対して横方向に屈曲する屈曲部と、を備えており、前記折り曲げ対象部分が少なくとも前記屈曲部と当接することで係止されることを特徴とする。
【００１０】
請求項３の発明は、請求項１又は請求項２に記載のアンテナにおいて、前記フレキシブル基板は、板状のベース材を備えると共に前記導体が前記ベース材に沿って保持されており、前記突出片が、前記ベース材よりも剛性が高い高剛性部材からなることを特徴とする。
【００１１】
請求項４の発明は、請求項２に記載のアンテナにおいて、前記フレキシブル基板は、板状のベース材を備えると共に前記導体が前記ベース材に沿って保持されており、前記突出片が、前記ベース材よりも剛性が高い高剛性部材からなり、前記高剛性部材には、前記延出部の延出位置よりも前記折り曲げ部側に延びる補強部が設けられていることを特徴とする。
【００１２】
請求項５の発明は、請求項４に記載のアンテナにおいて、前記折り曲げ対象部分は、前記所定部分の配置の向きに対して傾斜した折り曲げ線に沿って折り曲げ可能とされており、前記補強部の端部が前記折り曲げ線に沿って配置されていることを特徴とする。
【００１３】
請求項６の発明は、請求項３から請求項５のいずれか一項に記載のアンテナにおいて、前記高剛性部材は、前記ベース材と同材質であり且つ前記ベース材よりも厚く構成されていることを特徴とする。
【００１４】
請求項７の発明は、請求項１から請求項６のいずれか一項に記載のアンテナにおいて、前記突出片は、前記折り曲げ対象部分との当接位置に粘着媒体が付されていることを特徴とする。
【００１５】
請求項８の発明は、請求項１から請求項７のいずれか一項に記載のアンテナにおいて、前記折り曲げ対象部分には、当該折り曲げ対象部分の厚さ方向又は板面方向に突出する突起部が形成されており、前記突出片の所定の当接面が、前記折り曲げ対象部分と当接する構成をなし、前記突起部は、前記突出片における前記当接面とは異なる面を支持可能とされていることを特徴とする。
【発明の効果】
【００１６】
請求項１の発明は、折り曲げ可能に構成されたフレキシブル基板を備えると共に、フレキシブル基板の少なくとも一部に導体が配置されてなるアンテナにおいて、フレキシブル基板の少なくとも一部に、所定部分に続く折り曲げ対象部分を所定部分の向きとは異なる向きに折り曲げる折り曲げ部が形成されている。そして、その所定部分には、折り曲げ対象部分の折り曲げ側に突出した突出片が設けられており、当該所定部分に対して折り曲げられた折り曲げ対象部分が突出片と当接することで係止されるようになっている。このようにすると、導体をフレキシブル基板に配置して折り曲げ可能に構成できるため、より自由度の高い配置が可能となる。更に、当該所定部分に対して折り曲げられた折り曲げ対象部分が突出片と当接することで係止されるため、折り曲げ部分が折り曲げ前の位置に復帰しにくくなり、折り曲げ後の形状を安定的に保持することができる。
【００１７】
請求項２の発明は、突出片において、所定部分から折り曲げ対象部分の折り曲げ側に延出する延出部と、延出部の延出方向に対して横方向に屈曲する屈曲部とが設けられており、折り曲げ対象部分が少なくとも屈曲部と当接することで係止されるようになっている。このようにすると、折り曲げ側に対して屈曲する部分（屈曲部）によって折り曲げ対象部分を係止することができるため、折り曲げ対象部分をより確実に押さえることができる。
【００１８】
請求項３の発明は、フレキシブル基板において板状のベース材が設けられると共に導体がベース材に沿って保持されており、突出片がベース材よりも剛性が高い高剛性部材によって構成されている。このようにすると、ベース材に対して復帰力（折り曲げ対象部分が折り曲げ前の形状に戻ろうとする復帰力）が加えられたとしても突出片が変形しにくくなるため、突出片の形状が安定的に保持されやすく、ひいては係止状態を良好に保つことができる。
【００１９】
請求項４の発明は、フレキシブル基板において板状のベース材が設けられると共に、導体がベース材に沿って保持されており、突出片がベース材よりも剛性が高い高剛性部材によって構成されている。このようにすると、ベース材の復帰力が加えられたとしても突出片が変形しにくくなるため、突出片の形状が安定的に保持されやすく、ひいては係止状態を良好に保つことができる。
更に、高剛性部材には、延出部の延出位置よりも折り曲げ部側に延びる補強部が設けられている。このようにすると、延出部から折り曲げ線までの間を補強部によって補強することができ、延出部から折り曲げ線までの間（折り曲げない箇所）の形状を安定的に保持することができる。
【００２０】
請求項５の発明は、折り曲げ対象部分が所定部分の配置の向きに対して傾斜した折り曲げ線に沿って折り曲げ可能とされており、補強部の端部が折り曲げ線に沿って配置されている。このようにすると、延出部から折り曲げ線までの間（折り曲げない箇所）の形状をより適切な形状に保ちやすくなり、更に、折り曲げ対象部分を折り曲げ線に沿ってより正確に且つ容易に折り曲げることができるようになる。
【００２１】
請求項６の発明は、高剛性部材がベース材と同材質であり且つベース材よりも厚く構成されている。このようにすると、ベース材と同材質のものによってベース材よりも剛性の高い突出片を構成することができ、製造上より有利になる。
【００２２】
請求項７の発明は、突出片における折り曲げ対象部分との当接位置に粘着媒体が付されている。このようにすると、折り曲げ対象部分と突出片との間に粘着媒体を介在させることができるため、これらの当接状態をより安定的に保つことができ、より一層折り曲げ形状を保持し易くなる。
【００２３】
請求項８の発明は、折り曲げ対象部分において当該折り曲げ対象部分の厚さ方向又は板面方向に突出する突起部が形成されている。そして、突出片の所定の当接面が、折り曲げ対象部分と当接する構成をなし、突起部は、突出片における当接面とは異なる面を支持可能とされている。このようにすると、折り曲げ対象部分が突出片の所定当接面と当接することにより係止に加え、突起部がこの所定当接面以外の部分を支持することによっても係止がなされることとなる。即ち、突起部において異なる複数位置で係止がなされるため、折り曲げ対象部分と突出片との係止状態がより一層安定的に保たれやすくなる。
【図面の簡単な説明】
【００２４】
【図１】図１（Ａ）は、第１実施形態に係るアンテナを搭載した非接触通信端末を概略的に例示する平面図であり、図１（Ｂ）は、図１（Ａ）の非接触通信端末にＩＣカードを翳した様子を説明する説明図である。
【図２】図２は、図１の非接触通信端末の電気的構成を概略的に例示するブロック図である。
【図３】図３（Ａ）は、第１実施形態に係るアンテナを概略的に例示する平面図であり、図３（Ｂ）は、図３（Ａ）のアンテナの側面図である。
【図４】図４（Ａ）は、第１実施形態に係るアンテナの折り曲げ前の構成を例示する平面図であり、図４（Ｂ）は、その構成の側面図である。
【図５】図５（Ａ）は、折り曲げ対象部分の付近についての折り曲げ前の構成を概略的に示す拡大図であり、図５（Ｂ）は、その部分の折り曲げ後の構成を概略的に示す拡大図である。
【図６】図６は、図３のアンテナの一部を拡大して示す拡大図である。
【図７】図７（Ａ）は、第２実施形態に係るアンテナの一部（折り曲げ対象部分付近）についての折り曲げ前の構成を概略的に示す拡大図であり、図７（Ｂ）は、その部分の折り曲げ後の構成を概略的に示す拡大図である。
【図８】図８は、第３実施形態に係るアンテナの折り曲げ部付近の構成を概略的に示す拡大図である。
【図９】図９は、第３実施形態に係るアンテナの一部を変形した変形例について、折り曲げ部付近の構成を概略的に示す拡大図である。
【発明を実施するための形態】
【００２５】
［第１実施形態]
以下、本発明に係るアンテナを具現化した第１実施形態について、図面を参照して説明する。
（非接触通信端末）
まず、本実施形態に係るアンテナを適用した非接触通信端末について説明する。
図１（Ａ）は、本実施形態に係るアンテナを搭載した非接触通信端末を概略的に例示する平面図であり、図１（Ｂ）は、図１（Ａ）の非接触通信端末にＩＣカードＣａを翳した様子を説明する説明図である。図２は、図１の非接触通信端末の電気的構成を概略的に例示するブロック図である。
【００２６】
図１に示す非接触通信端末１は、例えばユーザによって携帯されて様々な場所で用いられる携帯端末として構成されており、商品などに付された無線タグやＩＣカードなどの非接触通信媒体を読み取る無線リーダとしての機能を有している。また、図１の非接触通信端末１は、商品などに付された情報コードを読み取るコードリーダとしての機能も有している。
【００２７】
図２に示すように、非接触通信端末１は、全体的制御を司る制御回路１０を備えており、この制御回路１０に、無線リーダ部２０、メモリ１１、キー操作部１２、表示部１３、外部インタフェース１４、バッテリ１５、電源部１６などが接続されている。
【００２８】
制御回路１０は、マイコンを主体として構成されるものであり、ＣＰＵ、システムバス、入出力インタフェース等を有し、メモリ１１とともに情報処理装置として機能している。メモリ１１は、ＲＯＭ、ＲＡＭ、不揮発性メモリなどの公知の半導体メモリなどによって構成されており、各種情報を記憶可能に構成されている。また、キー操作部１２は、複数のキーによって構成され、使用者のキー操作に応じて制御回路１０に対して操作信号を与える構成をなしており、制御回路１０は、キー操作部１２から操作信号を受けたとき、その操作信号に応じた動作を行うように構成されている。表示部１３は、液晶表示器、ＬＥＤなどによって構成されており、各種表示を行うように機能している。外部インタフェース１４は、外部（例えばホスト装置）との間でのデータ通信を行うためのインタフェースとして構成されており、制御回路１０と協働して通信処理を行う構成をなしている。また、非接触通信端末１には、電源となるバッテリ１５や電源部１６が設けられており、これらによって制御回路１０や各種電気部品に電力が供給されている。
【００２９】
また、図２に示すように、制御回路１０には、無線リーダ部２０及びコード読取部３０がそれぞれ接続されている。
無線リーダ部２０は、制御回路１０と協働して無線通信媒体（ＩＣカード等）との間で電磁波による通信を行ない、無線通信媒体に記憶されるデータの読み取り、或いは無線通信媒体へのデータの書き込みを行うように機能している。この無線リーダ部２０は、例えば公知の電波方式で伝送を行う回路として構成されており、図２に示すように、送信回路２１、受信回路２２、整合回路２３などを有している。
【００３０】
送信回路２１は、キャリア発振器、符号化部、増幅器、送信部フィルタ、変調部などによって構成されており、キャリア発振器から例えば周波数１３．５６ＭＨｚのキャリア（搬送波）が出力される構成をなしている。また、符号化部は、制御回路１０に接続されており、当該制御回路１０より出力される送信データを符号化して変調部に出力する構成をなしている。
【００３１】
変調部は、キャリア発振器からのキャリア（搬送波）、及び符号化部からの送信データが入力されるものであり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。また、増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路２３を介してアンテナ６０に出力している。このようにしてアンテナ６０に送信信号が出力されると、その送信信号が電磁波として当該アンテナ６０より外部に放射される。
【００３２】
一方、アンテナ６０によって受信された電波信号は、整合回路２３を介して受信回路２２に入力されるようになっている。この受信回路２２は、受信部フィルタ、増幅器、復調部、二値化処理部、複号化部などによって構成されており、アンテナ６０を介して受信された信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御回路１０に出力している。
【００３３】
情報コード読取部３０は、ＣＣＤエリアセンサなどの固体撮像素子からなる受光センサ、結像レンズ、複数個のＬＥＤ等から構成される照明部などを備えた構成をなしており、制御回路１０と協働してコードリーダとして機能している。
【００３４】
（アンテナの構成）
次に、アンテナの具体的構成について説明する。図３（Ａ）は、第１実施形態に係るアンテナを概略的に例示する平面図であり、図３（Ｂ）は、図３（Ａ）のアンテナの側面図である。図４（Ａ）は、第１実施形態に係るアンテナの折り曲げ前の構成を例示する平面図であり、図４（Ｂ）は、その構成の側面図である。図５（Ａ）は、折り曲げ対象部分の付近についての折り曲げ前の構成を概略的に示す拡大図であり、図５（Ｂ）は、その部分の折り曲げ後の構成を概略的に示す拡大図である。図６は、図３のアンテナの一部（折り返し保持部）付近の構成を拡大して示す拡大図である。なお、図３、図４では突出片を省略して示している。
【００３５】
本実施形態に係るアンテナ６０は、図３（Ａ）、（Ｂ）のような最終形状をなしている。このアンテナ６０は、折り曲げ可能に構成されたフレキシブル基板６０ａによって構成されており、全体としてループアンテナとして機能している。アンテナ６０を構成するフレキシブル基板６０ａは、撓み変形可能且つ折り曲げ可能に構成された板状のベース材６１と、このベース材６１に配置される導体６２とを備えてなるものであり、板状のベース材６１の板面に沿って金属線などからなる導体６２が配置されている。
【００３６】
アンテナ６０は、例えば、図４（Ａ）（Ｂ）のようなフレキシブル基板６０ａを、図３（Ａ）（Ｂ）のように折り曲げて環状に構成されている。フレキシブル基板６０ａを構成するベース材６１は、例えば、樹脂等の誘電材料によって構成されており、撓み変形可能な薄板形状をなしている。導体６２は、電波を放射する部分として機能するものであり、撓み変形可能な線状に構成されており、ベース部材６１に沿って１周又は複数周巻き回された構成をなしている。
【００３７】
図６の拡大図に示すように、アンテナ６０を構成するフレキシブル基板６０ａは、複数箇所において折り曲げ部６６が形成されている。この折り曲げ部６６は、所定の直線状部分（所定部分）６３に続く折り曲げ対象部分６４をこの直線状部分６３の向きとは異なる向きに折り曲げてなる部分である。具体的には、図５（Ａ）のような初期形状（折り曲げ前の形状）から、図５（Ｂ）のように、直線状部分６３の方向に対して折り曲げ対象部分６４の方向がほぼ９０°となるように、且つ直線状部分６３における一方面６３ａと折り曲げ対象部分６４における一方面６４ａとを部分的に接触或いは対向させるように、一方面６１ａ側から見て谷折り形状で折り返している。そして、図５（Ｂ）のように、折り曲げ後においては、直線状部分６３の片面側（具体的には、折り曲げ対象部分６４と対向する一方面６３ａ側）に、折り曲げ対象部分６４の反対面６４ｂ（直線状部分６３と対向する一方面６４ａ側とは反対側の面）が面するように配されている。なお、図４（Ａ）、図５（Ａ）では、折り曲げ部６６を構成するための折り曲げ線Ｌを破線にて概念的に示している。
【００３８】
更に、直線状部分６３には、折り曲げ対象部分６４の折り曲げ側（図５の例では図面下側）に突出した突出片７０が設けられている。突出片７０は、例えば、ベース材６１よりも剛性が高い高剛性部材（例えば、例えば、ベース材６１と同材質であり且つベース材６１よりも厚く構成された部材、或いは、ベース材６１より弾性率の高い材料によって構成された部材等）によって構成されており、ベース材６１よりも弾性変形しにくい構成となっている。
【００３９】
この突出片７０は、例えば、板状に構成されると共に直線状部分６３の一方面６３ａに対して接着剤等によって固定されており、直線状部分６３から折り曲げ対象部分６４の折り曲げ側に延出する延出部７１と、延出部７１の延出方向に対して横方向に屈曲する屈曲部７２とを備え、全体としてＬ字状に構成されている。延出部７１は、例えば、折り曲げ部６６付近において、折り曲げ対象部分６４の折り曲げ後の位置に隣接するように配置されている。より詳しくは、折り曲げ対象部分６４の折り曲げ後の方向に沿うように延出部７１が延びており、図５（Ｂ）の例では、直線状部分６３の方向と直交する方向に沿って延出部７１が配置され、この延出部７１の延出方向に沿って折り曲げ対象部分６４が延びている。
【００４０】
また、屈曲部７２は、図５（Ｂ）に示すように、延出部７１の先端部付近から折り曲げ対象部分６４側に屈曲し、折り曲げ対象部分６４の前記反対面６４ｂ側を部分的に覆っており、その先端部７２ａが、折り曲げられた折り曲げ対象部分６４の側部６４ｃ付近の位置又は側部６４ｃから若干外側に突出する位置に配置されている。
【００４１】
このように構成される突出片７０は、直線状部分６３に固定された状態で配され、当該直線状部分６３に対して折り曲げられた折り曲げ対象部分６４と当接するようになっている。具体的には、折り曲げ対象部分６４の反対面６４ｂが屈曲部７２の反対面（直線状部分６３に接着される側の面であり、一方面７０ａとは反対側の面）と当接することでこの折り曲げ対象部分６４が係止され、これにより折り曲げ形状が保持されるようになっている。更に詳しく述べると、直線状部分６３の一方面６３ａに接続された突出片７０の裏側（一方面７０ａとは反対側）に折り曲げ対象部分６４を入り込ませており、弾性復帰力によって図５（Ａ）のような状態に戻ろうとする折り曲げ対象部分６４を突出片７０の屈曲部７２によって支持している。
【００４２】
このような折り曲げは、図４のような初期形状の部材に対して複数箇所（図４では４箇所）で行われ、各箇所において同様の折り曲げがなされるようになっている。例えば図６では、図４の部材の長手方向一方側の２箇所において上記のような折り曲げがなされた例を示しており、この２箇所の折り曲げによって一方の直線状部分６３（図面左側）と他方の直線用部分（図面右側）とを同方向に揃えて直線的に配置している。更に、図４の部材の長手方向他方側の２箇所でも図６と同様の折り曲げがなされており、これにより、図３のように、周壁状且つ略筒状のアンテナ６０が構成されるようになっている。このアンテナ６０は、図６のような各折り返し部分６６の折り返しが上述の係止構造によって安定的に維持される環状構造が保持される。
【００４３】
また、上記アンテナ６０は、例えば、図１、図３のように表示部１３の周囲に配置されるようになっている。図３に示すように、アンテナ６０は、上述の折り曲げ構造によって筒状形態で構成されており、図１、図３の例では、この筒内に収容される形態で表示部１３が配置されている。より具体的には、表示部１３の表示面の垂直方向に沿ってアンテナ６０の内壁面が配置されており、アンテナ６０は、表示部１３の周囲を取り囲む周壁として配置されている。
【００４４】
（第１実施形態の主な効果）
本実施形態に係るアンテナ６０は、フレキシブル基板６０ａの一部に折り曲げ部６６が形成されており、直線状部分６３（所定部分）に続く折り曲げ対象部分６４をこの直線状部分６３の向きとは異なる向きに折り曲げている。そして、直線状部分６３には、折り曲げ対象部分６４の折り曲げ側に突出した突出片７０が設けられており、当該直線状部分６３に対して折り曲げられた折り曲げ対象部分６４が突出片７０と当接することで係止されるようになっている。このようにすると、導体６２をフレキシブル基板６０ａに配置して折り曲げ可能に構成できるため、より自由度の高い配置が可能となる。更に、直線状部分６３に対して折り曲げられた折り曲げ対象部分６４が突出片７０と当接することで係止されるため、折り曲げ対象部分６４が折り曲げ前の位置に復帰しにくくなり、折り曲げ後の形状を安定的に保持することができる。
【００４５】
また、本実施形態に係るアンテナ６０は、突出片７０において、直線状部分６３から折り曲げ対象部分６４の折り曲げ側に延出する延出部７１と、延出部７１の延出方向に対して横方向に屈曲する屈曲部７２とが設けられており、折り曲げ対象部分６４が少なくとも屈曲部７２と当接することで係止されるようになっている。このようにすると、折り曲げ側に対して屈曲する部分（屈曲部７２）によって折り曲げ対象部分６４を係止することができるため、折り曲げられた折り曲げ対象部分６４が初期形状に復帰しようとするときにより引っ掛かりやすくなり、より確実に押さえることができる。
【００４６】
また、本実施形態では、フレキシブル基板６０ａにおいて板状のベース材６１が設けられる共に導体６２がベース材６１に沿って保持されている。そして、突出片７０がベース材６１よりも剛性が高い高剛性部材によって構成されている。このようにすると、ベース材６１に対して復帰力（折り曲げ対象部分６４が折り曲げ前の形状に戻ろうとする復帰力）が加えられたとしても突出片７０が変形しにくくなるため、突出片７０の形状が安定的に保持されやすく、ひいては係止状態を良好に保つことができる。
【００４７】
また、本実施形態では、突出片７０がベース材６１と同材質であり且つベース材６１よりも厚く構成されている。このようにすると、ベース材６１と同材質のものによってベース材６１よりも剛性の高い突出片７０を構成することができるため、材料の種類数をより抑えやすく、製造上より有利となる。
【００４８】
［第２実施形態]
次に第２実施形態について説明する。図７（Ａ）は、第２実施形態に係るアンテナの一部について折り曲げ前の構成を概略的に示す拡大図であり、図７（Ｂ）は、その部分の折り曲げ後の構成を概略的に示す拡大図である。なお、第２実施形態は、突出部２７０の一部を第１実施形態の突出部７０と異ならせた点が第１実施形態と異なっており、それ以外は第１実施形態と同様である。よって、以下では第１実施形態と異なる部分について重点的に説明することとし、第１実施形態と同様の部分については第１実施形態と同一の符号を付し、詳細な説明は省略する。
【００４９】
第２実施形態に係るアンテナ２６０も、図７（Ａ）のような折り曲げ前の状態から、折り曲げ対象部分を折り曲げ線Ｌに沿って折り曲げることで図７（Ｂ）のような折り曲げ状態となり、この状態で折り曲げ対象部分６４が突出片２７０によって係止されるようになっている。
【００５０】
このアンテナ２６０でも、図７（Ｂ）のように、直線状部分６３において、折り曲げ対象部分６４の折り曲げ側（図７の例では図面下側）に突出するように突出片２７０が設けられている。この突出片２７０も、ベース材６１よりも剛性が高い高剛性部材（例えば、例えば、ベース材６１と同材質であり且つベース材６１よりも厚く構成された部材、或いは、ベース材６１より弾性率の高い材料によって構成された部材等）によって構成されており、ベース材６１よりも弾性変形しにくい構成となっている。
【００５１】
また、この突出部２７０も、板状に構成されると共に直線状部分６３の一方面（一方側の板面）に対して接着剤等によって固定されており、直線状部分６３から折り曲げ対象部分６４の折り曲げ側に延出する延出部７１と、延出部７１の延出方向に対して横方向に屈曲する屈曲部７２とを備えている。そして、この延出部７１及び屈曲部７２の部分がＬ字状に構成され、第１実施形態と同様に係止部として機能している。
【００５２】
更に、本実施形態で用いられる突出部２７０は、図７（Ａ）（Ｂ）に示すように、延出部７１の延出位置よりも折り曲げ部６６側に延びる補強部２７３が設けられている。この補強部２７３は、延出部７１と一体的に構成されると共に、この延出部７１の延出位置から直線状部分６３に沿って折り曲げ対象部分６４側に延びており、その端部２７３ａが折り曲げ対象部分６４の折り曲げ位置となる折り曲げ線Ｌに沿って配置されている。
【００５３】
折り曲げ線Ｌは、直線状部分６３の配置の向き（直線状部分６３の延出方向）に対して例えば約４５°の角度で傾斜しており、補強部２７３の端部２７３ａもこの折り曲げ線Ｌの位置とほぼ同位置に配置され、直線状部分６３の配置の向き（直線状部分６３の延出方向）に対して約４５°の角度で傾斜している。そして、折り曲げ対象部分６４は、このような折り曲げ線Ｌに沿って折り曲げ可能とされており、この折り曲げ線Ｌに沿って折り曲げられることで、図７（Ｂ）のように延出部７１の延出側に折り返されるようになっている。折り曲げ後の係止構造は第１実施形態と同様であり、折り曲げ対象部分６４の反対面６４ｂが屈曲部７２の反対面（直線状部分６３に接着される側の面であり、一方面７０ａとは反対側の面）と当接することでこの折り曲げ対象部分６４が係止され、これにより折り曲げ形状が保持されるようになっている。より具体的には、突出片２７０における屈曲部７２の裏側（一方面７０ａとは反対側）に折り曲げ対象部分６４を入り込ませており、弾性復帰力によって図７（Ａ）のような状態に戻ろうとする折り曲げ対象部分６４を屈曲部７２によって押さえて支持している。
【００５４】
また、突出片２７０は、補強部２７３とは反対側に延出する第２補強部２７４も設けられている。この第２補強部２７４は、延出部７１と一体的に連結されると共に、直線状部分６３に沿って補強部２７３とは反対側に延びており、直線状部分６３の一部と重なるように配置されている。なお、本実施形態では、補強部２７３及び第２補強部２７４がいずれも直線状部分６３の一方の板面に重ねられる形態で配置されており、直線状部分６３の変形を抑えるように機能している。
【００５５】
（第２実施形態の主な効果）
第２実施形態に係るアンテナ２６０は、フレキシブル基板６０ａにおいて板状のベース材６１が設けられると共に、導体６２がベース材６１に沿って保持されており、突出片２７０がベース材６１よりも剛性が高い高剛性部材によって構成されている。このようにすると、ベース材６１の復帰力が加えられたとしても突出片７０が変形しにくくなるため、突出片７０の形状が安定的に保持されやすく、ひいては係止状態を良好に保つことができる。更に、ベース材６１（高剛性部材）には、延出部７１の延出位置よりも折り曲げ部６６側に延びる補強部２７３が設けられている。このようにすると、延出部７１から折り曲げ線までの間を補強部２７３によって補強することができ、延出部７１から折り曲げ線までの間（折り曲げない箇所）の形状を安定的に保持することができる。
【００５６】
また、第２実施形態では、折り曲げ対象部分６４が直線状部分６３の配置の向きに対して傾斜した折り曲げ線Ｌに沿って折り曲げ可能とされており、補強部２７３の端部２７３ａが折り曲げ線Ｌに沿って配置されている。このようにすると、延出部７１から折り曲げ線Ｌまでの間（折り曲げない箇所）の形状をより適切な形状に保ちやすくなり、更に、折り曲げ対象部分６４を折り曲げ線Ｌに沿ってより正確に且つ容易に折り曲げることができるようになる。
【００５７】
［第３実施形態]
次に第３実施形態について説明する。なお、図８は、第３実施形態に係るアンテナの折り曲げ部付近の構成を概略的に示す拡大図である。この第３実施形態は、第１実施形態の特徴を全て含んでおり、更に、突起部３８０が設けられている点が第１実施形態と異なっている。よって突起部３８０以外の部分については、第１実施形態と同様であるとし、第１実施形態と同一の符号を付して詳細な説明は省略する。
【００５８】
第３実施形態に係るアンテナ３６０は、折り曲げ対象部分６４において、当該折り曲げ対象部分６４の厚さ方向に突出する突起部３８０が形成されている。この突起部３８０は、例えば所定の厚みをもった板状に構成されると共に折り曲げ対象部分６４の反対面６４ｂに接着材等によって固定されている。この構成では、第１実施形態と同様に、突出片７０の所定の当接面（一方面７０ａとは反対側の面）が、折り曲げ対象部分６４の反対面６４ｂと当接する構成をなしており、更に、突起部３８０が、突出片７０における前記当接面（一方面７０ａとは反対側の面）とは異なる面（具体的には屈曲部７２における側部７２ｂの外面）を支持可能とされている。より詳しくは、折り曲げ対象部分６４が折り曲げ前の形状に若干戻ろうとしたときに、突起部３８０の側部３８０ａが屈曲部７２の側部７２ｂと当接することでこの位置でも係止されるようになっている。
【００５９】
（第３実施形態の主な効果）
第３実施形態に係るアンテナ３６０では、折り曲げ対象部分６４において当該折り曲げ対象部分６４の厚さ方向に突出する突起部３８０が形成されている。そして、突出片７０の所定の当接面（一方面７０ａとは反対側の面）が、折り曲げ対象部分６４と当接する構成をなし、突起部３８０は、突出片７０における当該当接面とは異なる面（側部７２ｂの外面）を支持可能とされている。このようにすると、折り曲げ対象部分６４が突出片７０の所定当接面と当接することにより係止に加え、突起部３８０がこの所定当接面以外の部分を支持することによっても係止がなされることとなる。即ち、突起部３８０において異なる複数位置で係止がなされるため、折り曲げ対象部分６４と突出片７０との係止状態がより一層安定的に保たれやすくなる。
【００６０】
［他の実施形態]
本発明は上記記述及び図面によって説明した実施形態に限定されるものではなく、例えば次のような実施形態も本発明の技術的範囲に含まれる。
【００６１】
上記いずれの実施形態においても、突出片７０における折り曲げ対象部分６４との当接位置に粘着媒体を設けることができる。粘着媒体は粘着性のある物質であればよく、両面テープなどであってもよい。このようにすると、折り曲げ対象部分６４と突出片７０との間に粘着媒体を介在させることができるため、これらの当接状態をより安定的に保つことができ、より一層折り曲げ形状を保持し易くなる。
【００６２】
上記実施形態では、屈曲部７２の端部７２ａを折り曲げ対象部分６４の側部から突出させていたが、この突出する端部７２ａ側を折り曲げ対象部分６４側に折り曲げるようにしてもよい。このようにすると、屈曲部７２の端部７２ａ側でも係止機能が発揮できる。
【００６３】
第３実施形態の変形例として、図９のような構成としてもよい。この変形例は、第１実施形態の特徴を全て含んでおり、更に、突起部４８０が設けられている点が第１実施形態と異なっている。よって突起部４８０以外の部分については、第１実施形態と同様であるとし、第１実施形態と同一の符号を付して詳細な説明は省略する。
この変形例に係るアンテナ４６０は、折り曲げ対象部分６４において、当該折り曲げ対象部分６４の板面方向に突出する突起部４８０が形成されている。突起部４８０は、例えば折り曲げ対象部分６４と一体的に板状に構成され、折り曲げ対象部分６４の方向に対して略直交した方向（図９の例では折り曲げ対象部分６４を折り曲げた時に直線状部分６３に沿う方向）に延出しており、この突起部４８０の側部４８０ａの一部が突出片７０の一方面７０ａを支持している。この構成でも、第１実施形態と同様に、突出片７０の所定の当接面（一方面７０ａとは反対側の面）が、折り曲げ対象部分６４の反対面６４ｂと当接する構成をなしており、更に、突起部４８０が、突出片７０における前記当接面（一方面７０ａとは反対側の面）とは異なる面（一方面７０ａ）を支持している。従って、突出片７０は、折り曲げ対象部分６４及び突起部４８０によって厚さ方向両側から挟まれる格好となり、係止状態がより安定化するようになっている。
【符号の説明】
【００６４】
１…非接触通信端末
６０…アンテナ
６０ａ…フレキシブル基板
６１…ベース部
６２…導体
６３…直線状部分（所定部分）
６４…折り曲げ対象部分
６６…折り曲げ部
７０…突出片
７１…延出部
７２…屈曲部
２７３…補強部
３８０，４８０…突起部
Ｃａ…カード
【図１】
2011188239.tif 000003
【図２】
2011188239.tif 000004
【図３】
2011188239.tif 000005
【図４】
2011188239.tif 000006
【図５】
2011188239.tif 000007
【図６】
2011188239.tif 000008
【図７】
2011188239.tif 000009
【図８】
2011188239.tif 000010
【図９】
2011188239.tif 000011